(57)【要約】【課題】  地上波デジタルテレビジョン放送の無線中継装置に好適に実施され、単一の伝送路の一端と分岐伝送路の一端とを接続し、各分岐伝送路に高周波信号を開閉するためのスイッチを設けるようにしたパワースイッチャブル・コンバイナ・デバイダと称される高周波電力合成または分配器において、地上波デジタルテレビジョン放送に適したコンパクトな構成を実現する。【解決手段】  分岐用スイッチＳＷ１〜ＳＷ３の開閉に伴って切換えて不使用されるスタブパターンＳＴ１，ＳＴ２を設け、各パラメータＡ，Ｂ，Ｃ，Ｄ（ｍｍ）を、使用周波数をｆとするとき、Ａ＝−０．０５０（ｆ−６２０）＋２６．２６、Ｂ＝−０．０７２（ｆ−６２０）＋４４．６７、Ｄ＝−０．０３８（ｆ−６２０）＋３２．７３、Ａ＋Ｃ＝−０．０６３（ｆ−６２０）＋４２．１０から求めることで、最適化する。【選択図】      図１
2005277928.tif 000002
【特許請求の範囲】
【請求項１】
単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした地上波デジタルテレビジョン放送用の高周波電力合成または分配器において、
前記各分岐伝送路に介在され、前記高周波信号を開閉するための分岐用スイッチと、
前記分岐用スイッチの開閉による分岐数の変化に伴って使用／不使用とされ、それぞれ前記単一の伝送路における前記分岐数に適応した接続位置に接続されるスタブパターンと、
前記各スタブパターンに介在され、前記分岐用スイッチの開閉に連動して高周波信号を開閉するスタブ用スイッチとを含み、
前記各伝送路の接続点から各スタブパターンの接続位置までの距離またはスタブパターンの長さＬを、前記分岐伝送路の分岐数および前記分岐用スイッチの開閉状況によって予め決定される傾きａおよび切片ｂを用いて、前記地上波デジタルテレビジョン放送の中心周波数をｆ０、使用周波数帯域の中心周波数をｆとするとき、
Ｌ＝ａ（ｆ−ｆ０）＋ｂ
から求めることを特徴とする高周波電力合成または分配器。
【請求項２】
３分岐であり、前記分岐用スイッチのいずれか１つの開成による２分岐で使用される第１のスタブパターンの接続位置までの前記各伝送路の接続点からの距離Ａに関しては、予め決定される傾きａは約−０．０５であり、切片ｂは約２６であり、前記第１のスタブパターンの長さＢに関しては、傾きａは約−０．０７であり、切片ｂは約４５であり、前記分岐用スイッチの総ての閉成による３分岐で使用される第１のスタブパターンの接続位置までの前記各伝送路の接続点からの距離Ａ＋Ｃに関しては、傾きａは約−０．０６であり、切片ｂは約４２であり、前記第２のスタブパターンの長さＤに関しては、傾きａは約−０．０４であり、切片ｂは約３３であることを特徴とする請求項１記載の高周波電力合成または分配器。
【請求項３】
好ましくは、
Ａ（ｍｍ）＝−０．０５０（ｆ−６２０）＋２６．２６
Ｂ（ｍｍ）＝−０．０７２（ｆ−６２０）＋４４．６７
Ｄ（ｍｍ）＝−０．０３８（ｆ−６２０）＋３２．７３
Ａ＋Ｃ（ｍｍ）＝−０．０６３（ｆ−６２０）＋４２．１０
から求めることを特徴とする請求項２記載の高周波電力合成または分配器。
【請求項４】
さらに好ましくは、前記我が国における地上波デジタルテレビジョン放送の第１の帯域である４７０〜５６６ＭＨｚの帯域では、Ａ＝３１．９７ｍｍ、Ｂ＝５２．９１ｍｍ、Ｃ＝１７．２０ｍｍ、Ｄ＝３７．２３ｍｍであり、第２の帯域である５１２〜６２０ＭＨｚの帯域では、Ａ＝２８．４８ｍｍ、Ｂ＝４７．８６ｍｍ、Ｃ＝１６．８１ｍｍ、Ｄ＝３３．９３ｍｍであり、第３の帯域である５８４〜６８０ＭＨｚの帯域では、Ａ＝２５．２７ｍｍ、Ｂ＝４３．０６ｍｍ、Ｃ＝１５．０４ｍｍ、Ｄ＝３２．３５ｍｍであり、第４の帯域である６２６〜７２２ＭＨｚの帯域では、Ａ＝２３．４６ｍｍ、Ｂ＝４０．６７ｍｍ、Ｃ＝１５．２３ｍｍ、Ｄ＝３０．８３ｍｍであり、第５の帯域である６７４〜７７０ＭＨｚの帯域では、Ａ＝２１．５１ｍｍ、Ｂ＝３８．００ｍｍ、Ｃ＝１４．７６ｍｍ、Ｄ＝２８．８３ｍｍであることを特徴とする請求項３記載の高周波電力合成または分配器。
【請求項５】
さらに好ましくは、前記我が国における地上波デジタルテレビジョン放送の総ての帯域において、Ａ＝２６．１４ｍｍ、Ｃ＝１５．８０ｍｍであり、かつ第１の帯域である４７０〜５６６ＭＨｚの帯域では、Ｂ＝５７．４８ｍｍ、Ｄ＝４２．３１ｍｍであり、第２の帯域である５１２〜６２０ＭＨｚの帯域では、Ｂ＝４９．６９ｍｍ、Ｄ＝３７．４０ｍｍであり、第３の帯域である５８４〜６８０ＭＨｚの帯域では、Ｂ＝４１．８８ｍｍ、Ｄ＝３０．１１ｍｍであり、第４の帯域である６２６〜７２２ＭＨｚの帯域では、Ｂ＝３７．４０ｍｍ、Ｄ＝２６．３８ｍｍであり、第５の帯域である６７４〜７７０ＭＨｚの帯域では、Ｂ＝３３．９７ｍｍ、Ｄ＝２２．８６ｍｍであることを特徴とする請求項３記載の高周波電力合成または分配器。
【請求項６】
４分岐であり、前記分岐用スイッチのいずれか１つの開成によって３分岐で使用される第１のスタブパターンの接続位置までの前記各伝送路の接続点からの距離Ａに関しては、予め決定される傾きａは約−０．０５であり、切片ｂは約２５であり、前記第１のスタブパターンの長さＢに関しては、傾きａは約−０．０８であり、切片ｂは約５１であり、前記分岐用スイッチの総ての閉成による３分岐で使用される第１のスタブパターンの接続位置までの前記各伝送路の接続点からの距離Ａ＋Ｃに関しては、傾きａは約−０．０５であり、切片ｂは約３２であり、前記第２のスタブパターンの長さＤに関しては、傾きａは約−０．０７であり、切片ｂは約４４であることを特徴とする請求項１記載の高周波電力合成または分配器。
【請求項７】
好ましくは、
Ａ（ｍｍ）＝−０．０４５（ｆ−６２０）＋２４．７５
Ｂ（ｍｍ）＝−０．０８２（ｆ−６２０）＋５１．００
Ｄ（ｍｍ）＝−０．０４７（ｆ−６２０）＋３２．３２
Ａ＋Ｃ（ｍｍ）＝−０．０７１（ｆ−６２０）＋４３．９６
から求めることを特徴とする請求項６記載の高周波電力合成または分配器。
【請求項８】
さらに好ましくは、前記我が国における地上波デジタルテレビジョン放送の第１の帯域である４７０〜５６６ＭＨｚの帯域では、Ａ＝２９．８８ｍｍ、Ｂ＝６０．４０ｍｍ、Ｃ＝７．８７ｍｍ、Ｄ＝５２．１１ｍｍであり、第２の帯域である５１２〜６２０ＭＨｚの帯域では、Ａ＝２６．８１ｍｍ、Ｂ＝５４．５１ｍｍ、Ｃ＝７．７１ｍｍ、Ｄ＝４６．９９ｍｍであり、第３の帯域である５８４〜６８０ＭＨｚの帯域では、Ａ＝２３．８２ｍｍ、Ｂ＝４９．２８ｍｍ、Ｃ＝７．２７ｍｍ、Ｄ＝４２．６６ｍｍであり、第４の帯域である６２６〜７２２ＭＨｚの帯域では、Ａ＝２２．２０ｍｍ、Ｂ＝４６．４９ｍｍ、Ｃ＝７．５６ｍｍ、Ｄ＝３９．９４ｍｍであり、第５の帯域である６７４〜７７０ＭＨｚの帯域では、Ａ＝２０．５０ｍｍ、Ｂ＝４３．３４ｍｍ、Ｃ＝７．５３ｍｍ、Ｄ＝３７．２４ｍｍであることを特徴とする請求項７記載の高周波電力合成または分配器。
【請求項９】
さらに好ましくは、前記我が国における地上波デジタルテレビジョン放送の総ての帯域において、Ａ＝２４．６４ｍｍ、Ｃ＝７．５９ｍｍであり、かつ第１の帯域である４７０〜５６６ＭＨｚの帯域では、Ｂ＝６５．１３ｍｍ、Ｄ＝５７．０１ｍｍであり、第２の帯域である５１２〜６２０ＭＨｚの帯域では、Ｂ＝５６．７９ｍｍ、Ｄ＝４９．４３ｍｍであり、第３の帯域である５８４〜６８０ＭＨｚの帯域では、Ｂ＝４８．２８ｍｍ、Ｄ＝４１．３５ｍｍであり、第４の帯域である６２６〜７２２ＭＨｚの帯域では、Ｂ＝４３．５８ｍｍ、Ｄ＝３６．８８ｍｍであり、第５の帯域である６７４〜７７０ＭＨｚの帯域では、Ｂ＝３８．９７ｍｍ、Ｄ＝３２．６６ｍｍであることを特徴とする請求項７記載の高周波電力合成または分配器。
【請求項１０】
前記請求項１〜９のいずれか１項に記載の高周波電力合成または分配器に、前記各分岐伝送路に個別に対応するアンプを含んで成ることを特徴とする無線中継装置。
【発明の詳細な説明】
【技術分野】
【０００１】
本発明は、地上波デジタルテレビジョン放送の高周波信号の無線中継装置に好適に実施される高周波電力合成または分配器およびそれを用いる無線中継装置に関する。
【背景技術】
【０００２】
テレビジョン放送の中継局では、その高周波信号を中継するにあたって、数Ｗから数百Ｗの大きな送信電力が必要となる。そして、その大きな送信電力を得るために、また放送や電話通話には瞬断を避けなければならないことから、受信した信号は複数のアンプに分配され、それぞれで増幅された信号を合成して送信信号が作成されている。そのような用途に用いられるのが、前記分配にはデバイダと称される装置であり、前記合成にはコンバイナと称される装置である。そして、これらの装置は、単一の伝送路の一端と分岐伝送路の一端とを接続して構成されており、前記単一の伝送路の他端が出力端となる場合は前記分岐伝送路の他端がそれぞれ入力端となって前記コンバイナとなり、前記単一の伝送路の他端が入力端となる場合は前記分岐伝送路の他端がそれぞれ出力端となって前記デバイダとなり、高周波信号の入出力を入れ替えることで、共用することができるようになっている。また、不具合回路（アンプ）を切離して運用可能なように、各分岐伝送路には高周波信号を開閉するためのスイッチが設けられる。このようにして構成されるのが、パワースイッチャブル・コンバイナ・デバイダと称される高周波電力合成または分配器である。
【０００３】
図１５は、中継局の一構成例を簡単に示すブロック図である。アンテナ１０１で受信された親局や前段の中継局からの信号は、フィルタ１０２およびアンプ１０３を通してデバイダ１０４に入力され、複数ｎ系統に分配されて、前記ｎ個の信号処理回路Ｃ１，Ｃ２，‥，Ｃｎにそれぞれ入力される。ここで、地上波デジタルテレビジョン放送では、アナログのテレビジョン放送のように、各放送局が個別に中継局を設置するのではなく、共用されるようになっており、前記信号処理回路Ｃ１〜Ｃｎは、各放送局のチャネルに対応している。地上波デジタルテレビジョン放送では、従来のＵＨＦ放送の４７０〜７７０ＭＨｚの帯域が、表１で示すように、それぞれ９６ＭＨｚ（１チャネル当り６ＭＨｚ、したがって１６チャネル分）の帯域幅を有する５つの帯域に分割して使用されており、図１５構成は、１つの帯域分の構成を表す。したがって、その中継局が複数の帯域を中継する場合には、この図１５構成が帯域数分だけ設けられる。
【０００４】
【表１】
2005277928.tif 000003
【０００５】
前記信号処理回路Ｃ１〜Ｃｎに入力された受信信号は、前記フィルタ１０２によって帯域内の成分が濾波された後、さらに内部のフィルタで各放送局のチャネルに対応した成分が濾波され、必要な信号処理が施されて、コンバイナ・デバイダ１０５でｎチャネル分合成されるとともに、複数ｍ（図１５は３）チャネルに分配されて、アンプユニット１０６に入力される。ここで、前記デバイダ１０４およびコンバイナ・デバイダ１０５で扱われる高周波信号の電力は小さく、配線基板上で分配／合成が可能になっている。
【０００６】
アンプユニット１０６では、分配して入力された高周波信号は、スイッチＳ１，Ｓ２，Ｓ３を介してパワーアンプＡ１，Ａ２，Ａ３に入力され、それぞれ電力増幅される。電力増幅された高周波信号は、スイッチャブル・コンバイナ１０７で合成された後、アンテナ１０８から送信される。前記スイッチャブル・コンバイナ１０７は、各パワーアンプＡ１，Ａ２，Ａ３に個別に対応したスイッチＳＷ１，ＳＷ２，ＳＷ３と、コンバイナ１０９とを備えて構成されている。このスイッチャブル・コンバイナ１０７が、本発明が対象とするパワースイッチャブル・コンバイナ・デバイダである。
【０００７】
上述のように構成されるパワースイッチャブル・コンバイナ・デバイダにおいては、スイッチＳＷ１，ＳＷ２，ＳＷ３の切換えによって、伝送路のインピーダンスが変化する。前記各分岐伝送路および単一の伝送路は、インピーダンスマッチングのために１／４波長に形成されている。この伝送路およびスイッチＳＷ１，ＳＷ２，ＳＷ３のインピーダンスを、たとえば５０Ωとすると、インピーダンスＺは、下式で表すことができる。
Ｚ＝｛（５０／合成数）×５０｝1/2
【０００８】
したがって、図１５の場合には、３台のパワーアンプＡ１，Ａ２，Ａ３が正常に動作していてスイッチＳＷ１，ＳＷ２，ＳＷ３がいずれも閉成している状態から、前記パワーアンプＡ１，Ａ２，Ａ３のいずれかに故障が生じて対応するスイッチＳＷ１，ＳＷ２，ＳＷ３のいずれかがＯＦＦすると、インピーダンスＺは、２８．９Ωから、３５．４Ωに高くなる。
【０００９】
そこで、このような問題を解決するために、たとえば特許文献１に示すように、前記単一の伝送路に複数のスタブを設けて、それらを切換えて使用することが考えられる。
【特許文献１】特開平１０−２００３１３号公報
【発明の開示】
【発明が解決しようとする課題】
【００１０】
しかしながら、上述の従来技術では、適応する機器が特に規定されておらず、λ／２，λ／４のラインの電気長でインピーダンスをずらした上に、スタブ切換えを行うことでインピーダンスを調整している。したがって、前記λ／２，λ／４のライン等、大掛かりな構成になってしまうという問題がある。
【００１１】
本発明の目的は、地上波デジタルテレビジョン放送に適したコンパクトな構成の高周波電力合成または分配器およびそれを用いる無線中継装置を提供することである。
【課題を解決するための手段】
【００１２】
本発明の高周波電力合成または分配器は、単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした地上波デジタルテレビジョン放送用の高周波電力合成または分配器において、前記各分岐伝送路に介在され、前記高周波信号を開閉するための分岐用スイッチと、前記分岐用スイッチの開閉による分岐数の変化に伴って使用／不使用とされ、それぞれ前記単一の伝送路における前記分岐数に適応した接続位置に接続されるスタブパターンと、前記各スタブパターンに介在され、前記分岐用スイッチの開閉に連動して高周波信号を開閉するスタブ用スイッチとを含み、前記各伝送路の接続点から各スタブパターンの接続位置までの距離またはスタブパターンの長さＬを、前記分岐伝送路の分岐数および前記分岐用スイッチの開閉状況によって予め決定される傾きａおよび切片ｂを用いて、前記地上波デジタルテレビジョン放送の中心周波数をｆ０、使用周波数帯域の中心周波数をｆとするとき、
Ｌ＝ａ（ｆ−ｆ０）＋ｂ
から求めることを特徴とする。
【００１３】
上記の構成によれば、地上波デジタルテレビジョン放送の無線中継装置に実施され、単一の伝送路の一端と複数の分岐伝送路の一端とを接続し、各分岐伝送路に高周波信号を開閉するためのスイッチを設けるようにしたパワースイッチャブル・コンバイナ・デバイダと称される高周波電力合成または分配器において、前記分岐用スイッチの開閉、すなわち合成または分配チャネル数の変更に伴って、インピーダンスマッチングのために使用／不使用が切換えられる複数のスタブパターンを、前記分岐数に適応した接続位置から延び、かつ適応波長に対応した長さを有するように形成する。前記スタブパターンの実効長さは、スタブ用スイッチ部分の長さを含めて決定される。
【００１４】
具体的には、たとえば３分岐や４分岐の場合、前記距離または長さＬとして、分岐用スイッチのいずれか１つが開成されたときに使用される前記各伝送路の接続点から近い方の第１のスタブパターンまでの距離をＡとし、前記第１のスタブパターンの長さをＢとし、総ての分岐用スイッチが閉成されたときに使用される遠い方の第２のスタブパターンから前記第１のスタブパターンまでの距離をＣとし、前記第２のスタブパターンの長さをＤとするとき、我が国における前記地上波デジタルテレビジョン放送の中心周波数ｆ０は６２０ＭＨｚであり、
Ａ，Ｂ，Ａ＋Ｃ，Ｄ＝ａ（ｆ−６２０）＋ｂ
から求める。
【００１５】
したがって、前記特許文献１のλ／２，λ／４のライン等、大掛かりな構成を用いることなく、スタブだけを用いたコンパクトな構成で、前記地上波デジタルテレビジョン放送に適した高周波電力合成または分配器を実現することができる。
【００１６】
また、本発明の高周波電力合成または分配器は、３分岐であり、前記分岐用スイッチのいずれか１つの開成による２分岐で使用される第１のスタブパターンの接続位置までの前記各伝送路の接続点からの距離Ａに関しては、予め決定される傾きａは約−０．０５であり、切片ｂは約２６であり、前記第１のスタブパターンの長さＢに関しては、傾きａは約−０．０７であり、切片ｂは約４５であり、前記分岐用スイッチの総ての閉成による３分岐で使用される第１のスタブパターンの接続位置までの前記各伝送路の接続点からの距離Ａ＋Ｃに関しては、傾きａは約−０．０６であり、切片ｂは約４２であり、前記第２のスタブパターンの長さＤに関しては、傾きａは約−０．０４であり、切片ｂは約３３であることを特徴とする。
【００１７】
上記の構成によれば、３分岐での２つのスタブパターンのパラメータＡ，Ｂ，Ｃ，Ｄを最適化することができる。
【００１８】
さらにまた、本発明の高周波電力合成または分配器では、好ましくは、
Ａ（ｍｍ）＝−０．０５０（ｆ−６２０）＋２６．２６
Ｂ（ｍｍ）＝−０．０７２（ｆ−６２０）＋４４．６７
Ｄ（ｍｍ）＝−０．０３８（ｆ−６２０）＋３２．７３
Ａ＋Ｃ（ｍｍ）＝−０．０６３（ｆ−６２０）＋４２．１０
から求めることを特徴とする。
【００１９】
上記の構成によれば、３分岐での２つのスタブパターンのパラメータＡ，Ｂ，Ｃ，Ｄを高精度に最適化することができる。
【００２０】
また、本発明の高周波電力合成または分配器では、さらに好ましくは、前記我が国における地上波デジタルテレビジョン放送の第１の帯域である４７０〜５６６ＭＨｚの帯域では、Ａ＝３１．９７ｍｍ、Ｂ＝５２．９１ｍｍ、Ｃ＝１７．２０ｍｍ、Ｄ＝３７．２３ｍｍであり、第２の帯域である５１２〜６２０ＭＨｚの帯域では、Ａ＝２８．４８ｍｍ、Ｂ＝４７．８６ｍｍ、Ｃ＝１６．８１ｍｍ、Ｄ＝３３．９３ｍｍであり、第３の帯域である５８４〜６８０ＭＨｚの帯域では、Ａ＝２５．２７ｍｍ、Ｂ＝４３．０６ｍｍ、Ｃ＝１５．０４ｍｍ、Ｄ＝３２．３５ｍｍであり、第４の帯域である６２６〜７２２ＭＨｚの帯域では、Ａ＝２３．４６ｍｍ、Ｂ＝４０．６７ｍｍ、Ｃ＝１５．２３ｍｍ、Ｄ＝３０．８３ｍｍであり、第５の帯域である６７４〜７７０ＭＨｚの帯域では、Ａ＝２１．５１ｍｍ、Ｂ＝３８．００ｍｍ、Ｃ＝１４．７６ｍｍ、Ｄ＝２８．８３ｍｍであることを特徴とする。
【００２１】
上記の構成によれば、３分岐での２つのスタブパターンのパラメータＡ，Ｂ，Ｃ，Ｄをさらに高精度に最適化することができる。
【００２２】
さらにまた、本発明の高周波電力合成または分配器では、さらに好ましくは、前記我が国における地上波デジタルテレビジョン放送の総ての帯域において、Ａ＝２６．１４ｍｍ、Ｃ＝１５．８０ｍｍであり、かつ第１の帯域である４７０〜５６６ＭＨｚの帯域では、Ｂ＝５７．４８ｍｍ、Ｄ＝４２．３１ｍｍであり、第２の帯域である５１２〜６２０ＭＨｚの帯域では、Ｂ＝４９．６９ｍｍ、Ｄ＝３７．４０ｍｍであり、第３の帯域である５８４〜６８０ＭＨｚの帯域では、Ｂ＝４１．８８ｍｍ、Ｄ＝３０．１１ｍｍであり、第４の帯域である６２６〜７２２ＭＨｚの帯域では、Ｂ＝３７．４０ｍｍ、Ｄ＝２６．３８ｍｍであり、第５の帯域である６７４〜７７０ＭＨｚの帯域では、Ｂ＝３３．９７ｍｍ、Ｄ＝２２．８６ｍｍであることを特徴とする。
【００２３】
上記の構成によれば、３分岐での２つのスタブパターンのパラメータＡ，Ｂ，Ｃ，Ｄを、調整し難いＡ，Ｃを固定として、さらに高精度に最適化することができる。
【００２４】
また、本発明の高周波電力合成または分配器は、４分岐であり、前記分岐用スイッチのいずれか１つの開成によって３分岐で使用される第１のスタブパターンの接続位置までの前記各伝送路の接続点からの距離Ａに関しては、予め決定される傾きａは約−０．０５であり、切片ｂは約２５であり、前記第１のスタブパターンの長さＢに関しては、傾きａは約−０．０８であり、切片ｂは約５１であり、前記分岐用スイッチの総ての閉成による３分岐で使用される第１のスタブパターンの接続位置までの前記各伝送路の接続点からの距離Ａ＋Ｃに関しては、傾きａは約−０．０５であり、切片ｂは約３２であり、前記第２のスタブパターンの長さＤに関しては、傾きａは約−０．０７であり、切片ｂは約４４であることを特徴とする。
【００２５】
上記の構成によれば、４分岐での２つのスタブパターンのパラメータＡ，Ｂ，Ｃ，Ｄを最適化することができる。
【００２６】
さらにまた、本発明の高周波電力合成または分配器では、好ましくは、
Ａ（ｍｍ）＝−０．０４５（ｆ−６２０）＋２４．７５
Ｂ（ｍｍ）＝−０．０８２（ｆ−６２０）＋５１．００
Ｄ（ｍｍ）＝−０．０４７（ｆ−６２０）＋３２．３２
Ａ＋Ｃ（ｍｍ）＝−０．０７１（ｆ−６２０）＋４３．９６
から求めることを特徴とする。
【００２７】
上記の構成によれば、４分岐での２つのスタブパターンのパラメータＡ，Ｂ，Ｃ，Ｄを高精度に最適化することができる。
【００２８】
また、本発明の高周波電力合成または分配器では、さらに好ましくは、前記我が国における地上波デジタルテレビジョン放送の第１の帯域である４７０〜５６６ＭＨｚの帯域では、Ａ＝２９．８８ｍｍ、Ｂ＝６０．４０ｍｍ、Ｃ＝７．８７ｍｍ、Ｄ＝５２．１１ｍｍであり、第２の帯域である５１２〜６２０ＭＨｚの帯域では、Ａ＝２６．８１ｍｍ、Ｂ＝５４．５１ｍｍ、Ｃ＝７．７１ｍｍ、Ｄ＝４６．９９ｍｍであり、第３の帯域である５８４〜６８０ＭＨｚの帯域では、Ａ＝２３．８２ｍｍ、Ｂ＝４９．２８ｍｍ、Ｃ＝７．２７ｍｍ、Ｄ＝４２．６６ｍｍであり、第４の帯域である６２６〜７２２ＭＨｚの帯域では、Ａ＝２２．２０ｍｍ、Ｂ＝４６．４９ｍｍ、Ｃ＝７．５６ｍｍ、Ｄ＝３９．９４ｍｍであり、第５の帯域である６７４〜７７０ＭＨｚの帯域では、Ａ＝２０．５０ｍｍ、Ｂ＝４３．３４ｍｍ、Ｃ＝７．５３ｍｍ、Ｄ＝３７．２４ｍｍであることを特徴とする。
【００２９】
上記の構成によれば、４分岐での２つのスタブパターンのパラメータＡ，Ｂ，Ｃ，Ｄをさらに高精度に最適化することができる。
【００３０】
さらにまた、本発明の高周波電力合成または分配器では、さらに好ましくは、前記我が国における地上波デジタルテレビジョン放送の総ての帯域において、Ａ＝２４．６４ｍｍ、Ｃ＝７．５９ｍｍであり、かつ第１の帯域である４７０〜５６６ＭＨｚの帯域では、Ｂ＝６５．１３ｍｍ、Ｄ＝５７．０１ｍｍであり、第２の帯域である５１２〜６２０ＭＨｚの帯域では、Ｂ＝５６．７９ｍｍ、Ｄ＝４９．４３ｍｍであり、第３の帯域である５８４〜６８０ＭＨｚの帯域では、Ｂ＝４８．２８ｍｍ、Ｄ＝４１．３５ｍｍであり、第４の帯域である６２６〜７２２ＭＨｚの帯域では、Ｂ＝４３．５８ｍｍ、Ｄ＝３６．８８ｍｍであり、第５の帯域である６７４〜７７０ＭＨｚの帯域では、Ｂ＝３８．９７ｍｍ、Ｄ＝３２．６６ｍｍであることを特徴とする。
【００３１】
上記の構成によれば、４分岐での２つのスタブパターンのパラメータＡ，Ｂ，Ｃ，Ｄを、調整し難いＡ，Ｃを固定として、さらに高精度に最適化することができる。
【００３２】
また、本発明の無線中継装置は、前記の高周波電力合成または分配器に、前記各分岐伝送路に個別に対応するアンプを含んで成ることを特徴とする。
【００３３】
上記の構成によれば、大掛かりな構成を用いることなく、スタブだけを用いたコンパクトな構成で、地上波デジタルテレビジョン放送に適した無線中継装置を実現することができる。
【発明の効果】
【００３４】
本発明の高周波電力合成または分配器は、以上のように、地上波デジタルテレビジョン放送の無線中継装置に実施され、単一の伝送路の一端と複数の分岐伝送路の一端とを接続し、各分岐伝送路に高周波信号を開閉するためのスイッチを設けるようにしたパワースイッチャブル・コンバイナ・デバイダと称される高周波電力合成または分配器において、前記分岐用スイッチの開閉、すなわち合成または分配チャネル数の変更に伴って、インピーダンスマッチングのために使用／不使用が切換えられる複数のスタブパターンを、前記分岐数に適応した接続位置から延び、かつ適応波長に対応した長さを有するように形成する。具体的には、たとえば３分岐や４分岐の場合、前記距離または長さＬとして、分岐用スイッチのいずれか１つが開成されたときに使用される前記各伝送路の接続点から近い方の第１のスタブパターンまでの距離をＡとし、前記第１のスタブパターンの長さをＢとし、総ての分岐用スイッチが閉成されたときに使用される遠い方の第２のスタブパターンから前記第１のスタブパターンまでの距離をＣとし、前記第２のスタブパターンの長さをＤとするとき、我が国における前記地上波デジタルテレビジョン放送の中心周波数ｆ０は６２０ＭＨｚであり、
Ａ，Ｂ，Ａ＋Ｃ，Ｄ＝ａ（ｆ−６２０）＋ｂ
から求める。
【００３５】
それゆえ、前記特許文献１のλ／２，λ／４のライン等、大掛かりな構成を用いることなく、スタブだけを用いたコンパクトな構成で、前記地上波デジタルテレビジョン放送に適した高周波電力合成または分配器を実現することができる。
【００３６】
また、本発明の無線中継装置は、以上のように、前記の高周波電力合成または分配器に、前記各分岐伝送路に個別に対応するアンプを含んで成る。
【００３７】
それゆえ、大掛かりな構成を用いることなく、スタブだけを用いたコンパクトな構成で、地上波デジタルテレビジョン放送に適した無線中継装置を実現することができる。
【発明を実施するための最良の形態】
【００３８】
［実施の形態１］
図１は、本発明の実施の第１の形態に係る高周波電力合成または分配器であるパワースイッチャブル・コンバイナ・デバイダ５１の蓋５２を取外した状態での平面図であり、図２はこのパワースイッチャブル・コンバイナ・デバイダ５１の正面図であり、図３は背面図であり、図４は右側面から見た断面図である。このパワースイッチャブル・コンバイナ・デバイダ５１は、大略的に、導電性の材料から成る前記蓋５２およびそれが組合わせられる基台５３から成る筐体５４内に、高周波電力の合成または分配用の基板５５およびその基板５５に実装されるスイッチＳＷ１，ＳＷ２，ＳＷ３；ＳＷ１１，ＳＷ１２（総称するときは、以下参照符号ＳＷで示す）を切換え制御する制御回路基板５６を収納して構成されている。
【００３９】
このパワースイッチャブル・コンバイナ・デバイダ５１は、前述の地上波デジタルテレビジョン放送用に用いられ、３つの信号の合成または分配を行う。したがって、基板５５には、単一の伝送路Ｋ０の一端に３つの分岐伝送路Ｋ１，Ｋ２，Ｋ３の一端が共通に接続され、前記単一の伝送路Ｋ０の他端が筐体５４の背面に設けられたコネクタＪ０のコネクタピンＰ０に半田付けされ、前記各分岐伝送路Ｋ１，Ｋ２，Ｋ３の他端が筐体５４の前面に設けられたコネクタＪ１，Ｊ２，Ｊ３のコネクタピンＰ１，Ｐ２，Ｐ３にそれぞれ半田付けされる。このパワースイッチャブル・コンバイナ・デバイダ５１は、前記各コネクタＪ１，Ｊ２，Ｊ３がそれぞれ入力端となり、前記コネクタＪ０が出力端となるときにはコンバイナとなり、前記各コネクタＪ１，Ｊ２，Ｊ３がそれぞれ出力端となり、前記コネクタＪ０が入力端となるときにはデバイダとなる。
【００４０】
各コネクタＪ０〜Ｊ３には、同軸ケーブルの先端に固着された接栓がネジ止め固定される。これによって、各伝送路Ｋ０〜Ｋ３はコネクタピンＰ０〜Ｐ３を介して前記同軸ケーブルの中心導体と接続され、筐体５４はＧＮＤに接続されている前記同軸ケーブルの外導体と接続される。
【００４１】
前記基板５５は、両面基板であり、表面には、前記各伝送路Ｋ０〜Ｋ３が形成されるとともに、スタブパターンＳＴ１，ＳＴ２が形成されており、残余の領域は、前記各伝送路Ｋ０〜Ｋ３およびスタブパターンＳＴ１，ＳＴ２とインピーダンスマッチングのために必要となる間隙（たとえば伝送路のパターン幅を２ｍｍとすると、前記５０Ωで０．６ｍｍ程度）を開けて、ＧＮＤパターン５７となっている。また、基板５５の裏面は、全面ＧＮＤパターンとなっており、表裏のＧＮＤパターン間を接続し、ＧＮＤへの接続性を向上するためのスルーホール５９が、特に前記伝送路Ｋ０〜Ｋ３の両側を密に、多数形成されている。これによって、前記各伝送路Ｋ０〜Ｋ３の周囲のＧＮＤパターンは確実にＧＮＤを確保することができ、インピーダンスマッチングを良好に行うことができるようになっている。
【００４２】
前記基板５５の裏面と、基台５３の内面との間には、ＧＮＤへの接続性を向上するために、また前記スイッチＳＷ１，ＳＷ２，ＳＷ３；ＳＷ１１，ＳＷ１２の大電力の通過に対する放熱性を高めるために、金属塊から成る導電性プレート５８が設けられている。基板５５と、導電性プレート５８とは、多数のネジ６１によって相互に固着されている。そして、前記スイッチＳＷ１，ＳＷ２，ＳＷ３；ＳＷ１１，ＳＷ１２は、前記導電性プレート５８に搭載され、前記基板５５に形成された挿通孔Ｈ１，Ｈ２，Ｈ３；Ｈ１１，Ｈ１２から基板表面側に突出し、端子が伝送路に半田付けされている。これによって、電力通過によるスイッチの発熱を、効率的に、前記金属塊から成る導電性プレート５８に逃がすことができるとともに、スイッチベースのＧＮＤ接続も向上するようになっている。
【００４３】
そして、このパワースイッチャブル・コンバイナ・デバイダ５１では、伝送路Ｋ０には、取付け位置の異なる２つのスタブパターンＳＴ１とＳＴ２とが、一方の側と他方の側とに形成されている。これらのスタブパターンＳＴ１，ＳＴ２において、分岐用スイッチＳＷ１，ＳＷ２，ＳＷ３の総てが閉成している、すなわち３合成または３分配のときには、伝送路Ｋ０〜Ｋ３の接続点６０からの距離が近いスタブ用スイッチＳＷ１１が閉成され、前記距離が遠いスタブ用スイッチＳＷ１２が開成されてインピーダンスマッチングが行われ、前記分岐用スイッチＳＷ１，ＳＷ２，ＳＷ３のいずれか１つが開成している、すなわち２合成または２分配になってしまったときには、前記接続点６０からの距離が近いスタブ用スイッチＳＷ１１が開成され、前記距離が遠いスタブ用スイッチＳＷ１２が閉成されてインピーダンスマッチングが行われる。
【００４４】
注目すべきは、本発明では、前記接続点６０から各スタブパターンＳＴ１，ＳＴ２の接続位置までの距離またはスタブパターンＳＴ１，ＳＴ２の長さＬを、前記分岐伝送路Ｋ１〜Ｋ３の分岐数および前記分岐用スイッチＳＷ１〜ＳＷ３の開閉状況によって予め決定される傾きａおよび切片ｂを用いて、前記地上波デジタルテレビジョン放送の中心周波数をｆ０、使用周波数帯域の中心周波数をｆとするとき、
Ｌ＝ａ（ｆ−ｆ０）＋ｂ
から求めることである。すなわち、スタブパターンＳＴ１，ＳＴ２を、前記分岐数に適応した接続位置から延び、かつ適応波長に対応した長さを有するように形成する。前記スタブパターンＳＴ１，ＳＴ２の実効長さは、スタブ用スイッチＳＷ１１，ＳＷ１２部分の長さを含めて決定される。
【００４５】
具体的には、前記距離または長さＬとして、図１で示すように、分岐用スイッチＳＷ１〜ＳＷ３のいずれか１つが開成されたときに使用される前記接続点６０から近い方の第１のスタブパターンＳＴ１までの距離をＡとし、前記第１のスタブパターンＳＴ１の長さをＢとし、総ての分岐用スイッチＳＷ１〜ＳＷ３が閉成されたときに使用される遠い方の第２のスタブパターンＳＴ２から前記第１のスタブパターンＳＴ１までの距離をＣとし、前記第２のスタブパターンＳＴ２の長さをＤとするとき、我が国における前記地上波デジタルテレビジョン放送の中心周波数ｆ０は６２０ＭＨｚであることから、
Ａ，Ｂ，Ａ＋Ｃ，Ｄ＝ａ（ｆ−６２０）＋ｂ
から求める。
【００４６】
これによって、前記特許文献１のλ／２，λ／４のライン等、大掛かりな構成を用いることなく、スタブだけを用いたコンパクトな構成で、前記地上波デジタルテレビジョン放送に適したパワースイッチャブル・コンバイナ・デバイダ５１を実現することができる。なお、各伝送路Ｋ０〜Ｋ３は勿論、各スイッチＳＷ１〜ＳＷ３；ＳＷ１１，ＳＷ１２は、５０Ωにインピーダンスマッチングされている。
【００４７】
さらに詳しくは、上記のように３分岐の場合、前記分岐用スイッチＳＷ１〜ＳＷ３のいずれか１つの開成によって２分岐でも使用され、前記距離Ａに関しては、予め決定される傾きａは約−０．０５であり、切片ｂは約２６であり、前記長さＢに関しては、傾きａは約−０．０７であり、切片ｂは約４５であり、距離Ａ＋Ｃに関しては、傾きａは約−０．０６であり、切片ｂは約４２であり、前記長さＤに関しては、傾きａは約−０．０４であり、切片ｂは約３３である。
【００４８】
さらに好ましくは、図５および図６で示すように、
Ａ（ｍｍ）＝−０．０５０（ｆ−６２０）＋２６．２６
Ｂ（ｍｍ）＝−０．０７２（ｆ−６２０）＋４４．６７
Ｄ（ｍｍ）＝−０．０３８（ｆ−６２０）＋３２．７３
Ａ＋Ｃ（ｍｍ）＝−０．０６３（ｆ−６２０）＋４２．１０
から求める。
【００４９】
これによって、３分岐での２つのスタブパターンＳＴ１，ＳＴ２のパラメータＡ，Ｂ，Ｃ，Ｄを高精度に最適化することができる。
【００５０】
これを、前述の表１で示す我が国における地上波デジタルテレビジョン放送の各帯域に当てはめた結果を、表２および表３で示す。
【００５１】
【表２】
2005277928.tif 000004
【００５２】
【表３】
2005277928.tif 000005
【００５３】
前記表２は、総てのパラメータＡ，Ｂ，Ｃ，Ｄをそれぞれ最適値に設定した値であり、すなわち前記基板５５として、前記５つの各帯域毎に専用の基板を使用する場合を示している。これに対して、表３は、パラメータＡ，Ｂ，Ｃ，Ｄの内、調整し難いＡ，Ｃを固定として設定する場合を示している。このようにして、精細に５つの帯域のそれぞれの高周波信号の周波数に適応することができる。
【００５４】
表３の場合、たとえば各スタブパターンＳＴ１，ＳＴ２を前記５つの帯域に対応して５つの部分に分割形成しておき、どの帯域の無線中継装置に使用するかによって、前記各スイッチＳＷの半田付け時に、波長に対応した必要な部分だけ、半田付けや金属板を渡した半田付けを行うことで、長さ調整を行うことができる。あるいは、前記スタブパターンＳＴ１，ＳＴ２を予め必要最大限の長さに形成しておき、波長に対応した必要な部分を残して、残りのパターンとの境界部分のパターンを剥ぎ取り、前記残りのパターンを切離すなどして、長さ調整を行うようにしてもよい。
【００５５】
なお、前記表２および表３の数値を求めるにあたって、前述のように伝送路Ｋ０〜Ｋ３の幅が約２ｍｍであり、ＧＮＤパターン５７との間隔は約０．６ｍｍであり、伝送路Ｋ０〜Ｋ３およびＧＮＤパターン５７の厚さは、たとえば０．０１〜０．１ｍｍ（すなわち前記表２，３の推知への影響は少ない）であり、基板５５の材質はガラスフッ素樹脂であり、厚さは約１ｍｍであり、比誘電率は２．６２であり、これによって前述のように各伝送路Ｋ０〜Ｋ３のインピーダンスを５０Ωとしている。また、スイッチＳＷも、以下の構造を採用することで、インピーダンスを５０Ωとしている。
【００５６】
このように、前記長さＬ（Ａ，Ｂ，Ａ＋Ｃ，Ｄ）を求める式の傾きａおよび切片ｂは、伝送路Ｋ０〜Ｋ３の幅、ＧＮＤパターン５７との間隔、これらの厚さ、材質、基板５５の材質、厚さ、比誘電率等に応じて決定される値であり、たとえば実験やシミュレーション等によって具体的に決定される。
【００５７】
図７は、前記スイッチＳＷの一構成例を示す縦断面図であり、図８は、その分解斜視図である。これらの図に示すように、スイッチＳＷは、大略的に、ソレノイド１０と、ベースブロック２０とがネジＢ１でネジ止め固定されて構成されており、導電性のベース１に絶縁状態で保持される一対のコンタクト端子２ａ，２ｂに対して、前記ベース１とコンタクト端子２ａ，２ｂとの間に配置されるコンタクト４Ａがソレノイド１０によって駆動されることで開閉を行うように構成されている。
【００５８】
前記ベース１は、アルミニウム等の導電性の金属材料から成り、直方体形状の側面の隅角部に面取りが施されている。前記ベース１の上面には、図９（ａ）に示すように、長孔状に窪む凹部１ｂが長手方向に延びるように形成されているとともに、この凹部１ｂの長手方向の両脇にネジ孔１ｅが形成されている。さらに、凹部１ｂの底面中心には、上下方向に貫通する貫通孔１ｃが形成されている。
【００５９】
また、ベース１の下面には、図９（ｂ）に示すように、下方に開口して長手方向に延びる横断溝１ａが形成されているとともに、この横断溝１ａを跨ぐように円形状に窪む嵌合部１ｆが２箇所に形成されている。さらに、横断溝１ａの上面の両端付近には、有底の固定穴１ｄが一対形成されている。そして、この横断溝１ａ内に前記一対のコンタクト端子２ａ，２ｂおよびコンタクト４Ａが配置されて、その下方にはサブベース５が配設されている。
【００６０】
前記コンタクト端子２ａ，２ｂは、液晶ポリマ樹脂等の絶縁部材３ａ，３ｂにインサートモールドされている。そして、前記絶縁部材３ａ，３ｂの反対側から突出した前記コンタクト端子２ａ，２ｂの端子部２０ａ，２０ｂは、前記伝送路Ｋ０；Ｋ１，Ｋ２，Ｋ３またはスタブパターンＳＴ１，ＳＴ２の基端側の部分と半田付け接続される。
【００６１】
前記絶縁部材３ａ，３ｂは、前記ベース１の横断溝１ａに嵌入する形状に形成されているとともに、その上面には、前記ベース１の固定穴１ｄに嵌合する突起３ｃ、３ｄが形成されて、この突起３ｃ，３ｄが固定穴１ｄにそれぞれ圧入されることによって、コンタクト端子２ａ，２ｂがベース１に絶縁状態で保持されるようになる。
【００６２】
前記コンタクト４Ａは、図１０に示すように、略短冊状のシングル接点に形成されて、その中央部分には変形の貫通孔４ａが形成されている。このコンタクト４Ａは、例えば厚み寸法が０．３〜０．６ｍｍ程度で耐熱性の高いベリリウム銅等の板材をプレスで打ち抜き加工して、金メッキが施されているものが好ましい。
【００６３】
このコンタクト４Ａは、上記打ち抜き加工によってバリが生じる側の面がコンタクト端子２ａ，２ｂ側を向くとともに、その反対側の面が前記ベース１の横断溝１ａの上面側を向くように配置される。また、このコンタクト４Ａの両端付近には、半球状の突部４ｂが、コンタクト端子２ａ，２ｂの方向に突出するようにそれぞれ打ち出し形成されている。この突部４ｂは、上記打ち抜き加工によって生じるバリの高さよりも突出する高さに設定されている。
【００６４】
前記サブベース５は、瓢箪状に形成されて、ベース１の横断溝１ａおよび嵌合部１ｆに嵌合固定されることによって、下方に開口する横断溝１ａを閉塞して、ベース１に前記保持部材３ａ，３ｂを保持固定する。
【００６５】
一方、前記ベース１の上面に形成された凹部１ｂ内には、下方から順に、カード６、カードバネ７、円柱状のカード８が配置され、凹部１ｂの底面と前記カード６との間には一対の復帰バネ９が配置されている。そして、これらの部品６〜８ならびにベース１に取付けられるソレノイド１０によってコンタクト４Ａを昇降変位させるようになっている。
【００６６】
前記カード６は、絶縁性の樹脂等で構成されて、ベース１の凹部１ｂに嵌り込む基部６ａと、この基部６ａの中央部分から下方に突出する突出部６ｂとを有して、基部６ａの下面には、突出部６ｂの両脇に下方に突出する一対の凸部６ｄが形成され、その反対側の上面には上方に突出する一対の凸部６ｅが形成されている。前記カード６の突出部６ｂは、ベース１の凹部１ｂの貫通孔１ｃから横断溝１ａ内に突出し、コンタクト４Ａの貫通孔４ａに挿通して、熱かしめ固定されるようになっている。
【００６７】
前記コンタクト４Ａの貫通孔４ａは、前記図１０に示すように、四角形の一角が傾斜面に変形形成されているとともに、前記突出部６ｂの先端部分６ｃも、この形状に対応する形状に形成されている。したがって、コンタクト４Ａは表裏反対に前記突出部６ｂに挿入することができず、コンタクト４Ａの突部４ｂが下向きになることが担保されている。
【００６８】
前記カードバネ７は、平板状のバネであり、前記カード６の凸部６ｅに挿通される一対の孔７ａを有して、このカードバネ７の中央部分が前記カード８に押されるようになっている。前記前記カード８は、絶縁性の樹脂等で構成されて、ソレノイド１０の駆動力をカードバネ７に伝達する。前記復帰バネ９は、コイル状の圧縮バネであり、カード６の凸部６ｄでガイドされて、カード６を上方に付勢して、カード６の突出部６ｂに取付けられたコンタクト４Ａをベース１の横断溝１ａの上面に圧接させる。
【００６９】
前記ソレノイド１０は、ベース１のネジ孔１ｅに螺着されるネジＢ１によってベース１の上面に取付けられている。このソレノイド１０は、円柱状の可動鉄芯１１と、前記可動鉄芯１１を内部に収容する円筒状の絶縁性ボビン１２と、前記ボビン１２の側周部に導体線が巻設されたコイル１３と、可動鉄芯１１の下方に配置される固定鉄芯１４と、前記固定鉄芯１４を固定するとともにボビン１２を下方からコ字状に覆う継鉄１５と、磁石から成り、ボビン１２の上端部に嵌合する平角リング状の一対のハーフ１６と、継鉄１５の左右の上端部に嵌合されてハーフ１６を上方からコ字状に覆うプレート１７と、全体を上方からコ字状に覆うカバー１８とを備えて構成されている。
【００７０】
前記固定鉄芯１４の中心部には、貫通孔１４ａが形成されて、この貫通孔１４ａ内に前記カード８が挿入されるようになっている。そして、前記制御回路基板５６からコイル１３に相互に逆方向のパルス状の電流を流すことで、前記可動鉄芯１１は進退変位し、スイッチング状態を切換えることができる。前記可動鉄芯１１が進出すると、カード６に取付けられたコンタクト４Ａの突部４ｂがコンタクト端子２ａ，２ｂにそれぞれ接触し、スイッチは閉成する。前記可動鉄芯１１が後退すると、前記コンタクト４Ａの突部４ｂはコンタクト端子２ａ，２ｂからそれぞれ離反し、スイッチは開成する。このスイッチＳＷはラッチングリレーであり、前記コイル１３に電流が流れていないときには、前記可動鉄芯１１は前記ハーフ１６によって保持されている。
【００７１】
このようにして、インピーダンスが前記５０ΩにマッチングされたコンパクトなスイッチＳＷを実現することができる。各スイッチＳＷの切換え制御は、コネクタ７０に入力される前記パワーアンプＡ１，Ａ２，Ａ３からの信号や、監視ステーションなどからの遠隔制御の信号に応答して、制御回路基板５６から与えられる前記パルス状の電流によって行われる。そして、ラッチングリレーのスイッチＳＷによって、前記電流は、切換えを行う際に流れるだけであり、省電力である。
【００７２】
［実施の形態２］
図１１は、本発明の実施の第２の形態に係るパワースイッチャブル・コンバイナ・デバイダ５１’の正面図であり、図１２は、その正面図である。このパワースイッチャブル・コンバイナ・デバイダ５１’は、前述のパワースイッチャブル・コンバイナ・デバイダ５１に類似し、対応する部分には同一の参照符号を付して示し、その説明を省略する。注目すべきは、このパワースイッチャブル・コンバイナ・デバイダ５１’では、基板５５’に形成される分岐伝送路が、Ｋ１，Ｋ２，Ｋ３，Ｋ４の４分岐となっていることである。このため、コネクタＪ４が追加され、そのコネクタピンＰ４が分岐伝送路Ｋ４に半田付けされるとともに、基板５５’に形成された挿通孔Ｈ４から基板表面側に突出した分岐用スイッチＳＷ４の端子も前記分岐伝送路Ｋ４に半田付けされる。
【００７３】
しかしながら、単一の伝送路Ｋ０’の屈曲方向が前記図１とは逆になっており、４分岐となっても、コネクタＪ０の取付け位置は同じで、共通の筐体５４を使用することができるようになっている。したがって、背面図は前記図３と同様で、省略している。
【００７４】
このように４分岐の場合、前記分岐用スイッチＳＷ１〜ＳＷ４のいずれか１つの開成によって３分岐でも使用され、前記距離Ａに関しては、予め決定される傾きａは約−０．０５であり、切片ｂは約２５であり、前記長さＢに関しては、傾きａは約−０．０８であり、切片ｂは約５１であり、距離Ａ＋Ｃに関しては、傾きａは約−０．０５であり、切片ｂは約３２であり、前記長さＤに関しては、傾きａは約−０．０７であり、切片ｂは約４４である。
【００７５】
さらに好ましくは、図１３および図１４で示すように、
Ａ（ｍｍ）＝−０．０４５（ｆ−６２０）＋２４．７５
Ｂ（ｍｍ）＝−０．０８２（ｆ−６２０）＋５１．００
Ｄ（ｍｍ）＝−０．０４７（ｆ−６２０）＋３２．３２
Ａ＋Ｃ（ｍｍ）＝−０．０７１（ｆ−６２０）＋４３．９６
から求める。
【００７６】
これによって、４分岐での２つのスタブパターンＳＴ１，ＳＴ２のパラメータＡ，Ｂ，Ｃ，Ｄを高精度に最適化することができる。
【００７７】
これを、前述の表１で示す我が国における地上波デジタルテレビジョン放送の各帯域に当てはめた結果を、表４および表５で示す。
【００７８】
【表４】
2005277928.tif 000006
【００７９】
【表５】
2005277928.tif 000007
【００８０】
前記表４は、前記表２と同様に、総てのパラメータＡ，Ｂ，Ｃ，Ｄをそれぞれ最適値に設定した値であり、すなわち前記基板５５’として、前記５つの各帯域毎に専用の基板を使用する場合を示している。これに対して、表５は、前記表３と同様に、パラメータＡ，Ｂ，Ｃ，Ｄの内、調整し難いＡ，Ｃを固定として設定する場合を示している。このようにして、精細に５つの帯域のそれぞれの高周波信号の周波数に適応することができる。
【００８１】
本発明のパワースイッチャブル・コンバイナ・デバイダ５１，５１’は、パワーアンプと組合わせることで、地上波デジタルテレビジョン放送や携帯電話などの高周波信号の無線中継装置に好適に実施することができる。
【図面の簡単な説明】
【００８２】
【図１】本発明の実施の第１の形態に係る高周波電力合成または分配器であるパワースイッチャブル・コンバイナ・デバイダの蓋を取外した状態での平面図である。
【図２】図１のパワースイッチャブル・コンバイナ・デバイダの正面図である。
【図３】図１のパワースイッチャブル・コンバイナ・デバイダの背面図である。
【図４】図１のパワースイッチャブル・コンバイナ・デバイダの右側面から見た断面図である。
【図５】図１のパワースイッチャブル・コンバイナ・デバイダの３分岐時の最適パラメータのグラフである。
【図６】図１のパワースイッチャブル・コンバイナ・デバイダの２分岐時の最適パラメータのグラフである。
【図７】スイッチＳＷの一構成例を示す縦断面図である。
【図８】図７の分解斜視図である。
【図９】前記スイッチのベースの構造を示す斜視図である。
【図１０】前記スイッチのコンタクトの構造を示す正面図である。
【図１１】本発明の実施の第２の形態に係るパワースイッチャブル・コンバイナ・デバイダの蓋を取外した状態での平面図である。
【図１２】図１１のパワースイッチャブル・コンバイナ・デバイダの正面図である。
【図１３】図１１のパワースイッチャブル・コンバイナ・デバイダの４分岐時の最適パラメータのグラフである。
【図１４】図１１のパワースイッチャブル・コンバイナ・デバイダの３分岐時の最適パラメータのグラフである。
【図１５】地上波デジタルテレビジョン放送の中継局の一構成例を簡単に示すブロック図である。
【符号の説明】
【００８３】
１    ベース
２ａ，２ｂ    コンタクト端子
４Ａ    コンタクト
１０    ソレノイド
２０    ベースブロック
２０ａ，２０ｂ    端子部
５１，５１’    パワースイッチャブル・コンバイナ・デバイダ
５２    蓋
５３    基台
５４    筐体
５５，５５’    基板
５６    制御回路基板
５７    ＧＮＤパターン
５８    導電性プレート
６０    接続点
１０１  アンテナ
１０２  フィルタ
１０３  アンプ
１０４  デバイダ
１０５  コンバイナ・デバイダ
１０６  アンプユニット
１０７  スイッチャブル・コンバイナ
Ａ１，Ａ２，Ａ３    パワーアンプ
Ｃ１〜Ｃｎ    信号処理回路
Ｈ１〜Ｈ４；Ｈ１１，Ｈ１２    挿通孔
Ｊ０；Ｊ１〜Ｊ４    コネクタ
Ｋ０，Ｋ０’    単一の伝送路
Ｋ１〜Ｋ４    分岐伝送路
Ｐ０；Ｐ１〜Ｐ４    コネクタピン
ＳＴ１，ＳＴ２    スタブパターン
ＳＷ１〜ＳＷ４    分岐用スイッチ
ＳＷ１１，ＳＷ１２    スタブ用スイッチ
【図１】
2005277928.tif 000008
【図２】
2005277928.tif 000009
【図３】
2005277928.tif 000010
【図４】
2005277928.tif 000011
【図５】
2005277928.tif 000012
【図６】
2005277928.tif 000013
【図７】
2005277928.tif 000014
【図８】
2005277928.tif 000015
【図９】
2005277928.tif 000016
【図１０】
2005277928.tif 000017
【図１１】
2005277928.tif 000018
【図１２】
2005277928.tif 000019
【図１３】
2005277928.tif 000020
【図１４】
2005277928.tif 000021
【図１５】
2005277928.tif 000022